(57)【要約】【課題】払出処理において包装硬貨の払い出しを効率良く行う。【解決手段】包装硬貨一括箱（302）の集積容量は、包装硬貨出金部（301）の集積容量よりも大きくなっている。制御部（30）は、払出処理において、包装硬貨収納部（300）から繰り出された包装硬貨が包装硬貨出金部（301）に搬送されるように硬貨処理装置（10）の動作を制御する第１払出制御と、包装硬貨収納部（300）から繰り出された包装硬貨が包装硬貨一括箱（302）に搬送されるように硬貨処理装置（10）の動作を制御する第２払出制御とを含む複数の払出制御を選択的に行う。【選択図】図５
2019021026.tif 000002
【特許請求の範囲】
【請求項１】
包装硬貨を処理する硬貨処理装置であって、
前記包装硬貨を収納する包装硬貨収納部と、
前記包装硬貨を集積する包装硬貨出金部と、
前記包装硬貨を集積する包装硬貨一括箱と、
前記包装硬貨を搬送する包装硬貨搬送部と、
前記硬貨処理装置の動作を制御する制御部とを備え、
前記包装硬貨一括箱の集積容量は、前記包装硬貨出金部の集積容量よりも大きく、
前記制御部は、前記包装硬貨収納部に収納されている包装硬貨を前記硬貨処理装置から払い出す払出処理において、該包装硬貨収納部から繰り出された包装硬貨が前記包装硬貨出金部に搬送されるように該硬貨処理装置の動作を制御する第１払出制御と、該包装硬貨収納部から繰り出された包装硬貨が前記包装硬貨一括箱に搬送されるように該硬貨処理装置の動作を制御する第２払出制御とを含む複数の払出制御を選択的に行う
ことを特徴とする硬貨処理装置。
【請求項２】
請求項１において、
前記制御部は、前記包装硬貨一括箱に所定量の包装硬貨が集積されると前記第２払出制御を中断し、該包装硬貨一括箱から包装硬貨が取り除かれると該第２払出制御を再開する
ことを特徴とする硬貨処理装置。
【請求項３】
請求項１において、
前記制御部は、前記払出処理において払い出されるべき包装硬貨の量が所定量を上回らないことを条件として前記第２払出制御を行う
ことを特徴とする硬貨処理装置。
【請求項４】
請求項１〜３のいずれか１項において、
前記包装硬貨を投出する包装硬貨投出部を備え、
前記複数の払出制御は、前記第１払出制御と、前記第２払出制御と、第３払出制御とを含み、
前記制御部は、前記第３払出制御において、前記包装硬貨収納部から繰り出された包装硬貨が前記包装硬貨投出部に搬送されるように前記硬貨処理装置の動作を制御する
ことを特徴とする硬貨処理装置。
【請求項５】
請求項１〜４のいずれか１項において、
操作者による操作が与えられる操作部を備え、
前記制御部は、前記操作部に与えられた操作者による操作に応答して前記複数の払出制御を選択的に行う
ことを特徴とする硬貨処理装置。
【請求項６】
請求項１〜５のいずれか１項において、
前記制御部は、前記払出処理において払い出すべき包装硬貨の本数である払出予定本数に基づいて、前記複数の払出処理の実行を許可または禁止する
ことを特徴とする硬貨処理装置。
【請求項７】
請求項１〜６のいずれか１項において、
表示部を備え、
前記制御部は、前記複数の払出処理のうちどの払出制御が行われているのかを示した画像を前記表示部に表示させる
ことを特徴とする硬貨処理装置。
【発明の詳細な説明】
【技術分野】
【０００１】
ここに開示する技術は、硬貨処理装置に関する。
【背景技術】
【０００２】
従来、硬貨を処理する硬貨処理装置が知られている。特許文献１には、ばら状態の硬貨を包装して包装硬貨を生成する包装部と、包装硬貨を金種別に収納する包装硬貨収納繰出部と、包装硬貨を出金する包装硬貨出金部と、包装硬貨を搬送する搬送路とを備えた硬貨処理装置が開示されている。この硬貨処理装置では、包装硬貨の出金処理と回収処理が行われる。この出金処理（または回収処理）では、包装硬貨収納繰出部から繰り出された包装硬貨が搬送路を経由して包装硬貨出金部に搬送されて出金（または回収）される。
【先行技術文献】
【特許文献】
【０００３】
【特許文献１】特開２０１４−１２３２２５号公報
【発明の概要】
【発明が解決しようとする課題】
【０００４】
上記のような硬貨処理装置では、出金処理や回収処理などの払出処理（包装硬貨を払い出す処理）において包装硬貨出金部に所定量の包装硬貨（例えば包装硬貨出金部の集積容量と同量の包装硬貨）が集積されると、包装硬貨の搬送が中断されて包装硬貨出金部に集積された包装硬貨が取り出された後に、包装硬貨の搬送が再開される。しかしながら、包装硬貨出金部の集積容量が比較的に小さくなっているので、払出処理において大量の包装硬貨を払い出す場合、包装硬貨の搬送が中断される回数が多くなり、その結果、払出処理において包装硬貨の払い出しを効率良く行うことが困難となる。
【０００５】
そこで、ここに開示する技術は、払出処理において包装硬貨の払い出しを効率良く行うことが可能な硬貨処理装置を提供することを目的とする。
【課題を解決するための手段】
【０００６】
ここに開示する技術は、包装硬貨を処理する硬貨処理装置に関する。この硬貨処理装置は、前記包装硬貨を収納する包装硬貨収納部と、前記包装硬貨を集積する包装硬貨出金部と、前記包装硬貨を集積する包装硬貨一括箱と、前記包装硬貨を搬送する包装硬貨搬送部と、前記硬貨処理装置の動作を制御する制御部とを備えている。前記包装硬貨一括箱の集積容量は、前記包装硬貨出金部の集積容量よりも大きくなっている。前記制御部は、前記包装硬貨収納部に収納されている包装硬貨を前記硬貨処理装置から払い出す払出処理において、該包装硬貨収納部から繰り出された包装硬貨が前記包装硬貨出金部に搬送されるように該硬貨処理装置の動作を制御する第１払出制御と、該包装硬貨収納部から繰り出された包装硬貨が前記包装硬貨一括箱に搬送されるように該硬貨処理装置の動作を制御する第２払出制御とを含む複数の払出制御を選択的に行う。
【０００７】
前記の構成では、払出処理において第２払出制御を行うことにより、包装硬貨出金部の集積容量よりも大きい集積容量を有する包装硬貨一括箱に包装硬貨を集積することができるので、払出処理において包装硬貨出金部に包装硬貨を集積する場合（すなわち払出処理において第１払出制御が行われる場合）よりも、包装硬貨の搬送が中断される回数を低減する（またはゼロにする）ことができる。これにより、払出処理において包装硬貨の払い出しを効率良く行うことができる。
【０００８】
前記制御部は、前記包装硬貨一括箱に所定量の包装硬貨が集積されると前記第２払出制御を中断し、該包装硬貨一括箱から包装硬貨が取り除かれると該第２払出制御を再開するように構成されていてもよい。
【０００９】
前記の構成では、払出処理において第２払出制御を繰り返し行うことができる。
【００１０】
前記制御部は、前記払出処理において払い出されるべき包装硬貨の量が所定量を上回らないことを条件として前記第２払出制御を行うように構成されていてもよい。
【００１１】
前記の構成では、払出処理において払い出されるべき包装硬貨の量に応じて第２払出制御を適切に行うことができる。
【００１２】
前記硬貨処理装置は、前記包装硬貨を投出する包装硬貨投出部を備えていてもよい。前記複数の払出制御は、前記第１払出制御と、前記第２払出制御と、第３払出制御とを含んでいてもよい。そして、前記制御部は、前記第３払出制御において、前記包装硬貨収納部から繰り出された包装硬貨が前記包装硬貨投出部に搬送されるように前記硬貨処理装置の動作を制御するように構成されていてもよい。
【００１３】
前記の構成では、第３払出制御を行うことにより、包装硬貨一括箱の集積容量よりも多い量の包装硬貨を包装硬貨投出部から投出することができる。
【００１４】
前記硬貨処理装置は、操作者による操作が与えられる操作部を備えていてもよい。そして、前記制御部は、前記操作部に与えられた操作者による操作に応答して前記複数の払出制御を選択的に行うように構成されていてもよい。
【００１５】
前記の構成では、操作者による操作により複数の払出制御を任意に切り換えて行うことができる。
【００１６】
前記制御部は、前記払出処理において払い出すべき包装硬貨の本数である払出予定本数に基づいて、前記複数の払出制御の実行を許可または禁止するように構成されていてもよい。
【００１７】
前記の構成では、複数の払出制御のうち実行が許可された払出制御のみを行うことができる。これにより、払出処理において払出制御を効果的に行うことができる。
【００１８】
前記硬貨処理装置は、表示部を備えていてもよい。そして、前記制御部は、前記払出処理において前記複数の払出処理のうちどの払出制御が行われているのかを示した画像を前記表示部に表示させるように構成されていてもよい。
【００１９】
前記の構成では、払出処理において複数の払出処理のうちどの払出制御が行われているのか確認することができる。
【発明の効果】
【００２０】
ここに開示する技術によれば、払出処理において包装硬貨の払い出しを効率良く行うことができる。
【図面の簡単な説明】
【００２１】
【図１】実施形態による硬貨処理装置の外観を例示する斜視図である。
【図２】実施形態による硬貨処理装置の内部構成を例示する正面図である。
【図３】実施形態による硬貨処理装置の内部構成を例示する左側面図である。
【図４】実施形態による硬貨処理装置の内部構成を例示する右側面図である。
【図５】実施形態による硬貨処理装置の構成を例示する概略図である。
【図６】包装硬貨収納部の着脱動作について説明するための上面図である。
【図７】包装硬貨一括箱の着脱動作について説明するための斜視図である。
【図８】実施形態による硬貨処理装置の構成を例示するブロック図である。
【図９】操作表示部に表示されるモード選択画面を例示する図である。
【発明を実施するための形態】
【００２２】
以下、実施の形態を図面を参照して詳しく説明する。なお、図中同一または相当部分には同一の符号を付しその説明は繰り返さない。
【００２３】
（硬貨処理装置）
図１〜図６は、硬貨処理装置１０の構成を例示している。硬貨処理装置１０は、硬貨および包装硬貨を処理する。具体的には、硬貨処理装置１０は、硬貨の入出金処理，包装硬貨の生成，包装硬貨の出金処理などを行うように構成されている。なお、包装硬貨は、所定枚数（例えば５０枚）の硬貨によって構成され、これらの所定枚数の硬貨は、包装紙で包装されている。
【００２４】
〔筐体〕
硬貨処理装置１０は、筐体１００を備えている。筐体１００は、直方体型の箱状に形成されている。また、硬貨処理装置１０は、硬貨投入部２０１と、硬貨識別部２０２と、硬貨選別部２０３と、硬貨一時保留部２０４と、硬貨収納部２０５と、入金リジェクト部２０６と、返却箱２０７と、硬貨搬送部２０８と、出金識別部２０９と、出金箱２１０と、回収部２１１と、包装部２１２と、包装硬貨収納部３００と、包装硬貨出金部３０１と、包装硬貨一括箱３０２と、包装硬貨投出部３０３と、包装硬貨搬送部３０４とを備えている。これらの構成部材は、筐体１００に収納されている。
【００２５】
〔硬貨投入部〕
硬貨投入部２０１は、硬貨が投入されるように構成されている。また、硬貨投入部２０１は、投入された硬貨を１枚ずつ繰り出すように構成されている。
【００２６】
〔硬貨識別部〕
硬貨識別部２０２は、硬貨投入部２０１から繰り出された硬貨に対して識別処理（硬貨の金種，真偽，正損などの識別）を行うように構成されている。例えば、硬貨識別部２０２は、磁気センサや画像センサなどの各種センサと、ＣＰＵなどの演算処理部と、演算処理部を動作させるためのプログラムや情報を記憶するメモリなどの記憶部とによって構成されている。なお、硬貨識別部２０２による識別処理の結果は、後述する制御部３０に送信される。
【００２７】
〔硬貨選別部〕
硬貨選別部２０３は、硬貨識別部２０２を通過した硬貨を選別して硬貨一時保留部２０４に放出するように構成されている。例えば、硬貨選別部２０３は、硬貨を搬送するための硬貨通路と、硬貨通路において硬貨を搬送する搬送ベルトと、硬貨通路に設けられて該当する硬貨を落とし込ませて分岐させるための分岐孔とによって構成されている。なお、硬貨選別部２０３において、硬貨識別部２０２において正常な硬貨に該当しないと識別された硬貨（入金リジェクト硬貨）は、硬貨選別部２０３の下方に設けられた返却シュートＣ１を通じて入金リジェクト部２０６に導かれる。また、硬貨識別部２０２において予め指定された硬貨に該当すると識別された硬貨は、硬貨選別部２０３の下方に設けられた任意硬貨シュートＣ２を通過し、その後、任意硬貨シュートＣ２の下方に設けられた袋取りシュートＣ３を通じて筐体１００の前面に設けられた袋装着部に装着された袋２２０に導かれるか、または、任意硬貨シュートＣ２の下方に設けられたダイレクト包装用シュートＣ４を通じて包装部２１２に導かれる。
【００２８】
〔硬貨一時保留部〕
硬貨一時保留部２０４は、硬貨選別部２０３から放出された貨幣を金種別に収納して一時的に保留するように構成されている。また、硬貨一時保留部２０４は、一時的に保留している硬貨を硬貨収納部２０５または返却箱２０７に放出するように構成されている。
【００２９】
〔硬貨収納部〕
硬貨収納部２０５は、硬貨一時保留部２０４から放出された硬貨を金種別に収納するように構成されている。また、硬貨収納部２０５は、収納している硬貨を硬貨搬送部２０８に金種別に１枚ずつ繰り出すように構成されている。
【００３０】
〔入金リジェクト部〕
入金リジェクト部２０６は、返却シュートＣ１を通じて導かれた硬貨（すなわち入金リジェクト硬貨）を集積するように構成されている。
【００３１】
〔返却箱〕
返却箱２０７は、硬貨一時保留部２０４から放出された硬貨（返却すべき硬貨）を収納するように構成されている。具体的には、返却箱２０７は、上方に開口する直方体型の箱状に形成されている。また、返却箱２０７は、硬貨処理装置１０の筐体１００に対して着脱可能に構成され、筐体１００の前面から引き出し可能となっている。
【００３２】
〔硬貨搬送部〕
硬貨搬送部２０８は、硬貨収納部２０５から繰り出された硬貨を出金箱２１０または包装部２１２へ搬送するように構成されている。この例では、硬貨搬送部２０８は、筐体１００の奥行き方向（前後方向）に硬貨を搬送するコンベヤと、コンベヤ上の硬貨を包装部２１２に払い出す払出機構（図示を省略）とによって構成されている。硬貨搬送部２０８（具体的にはコンベヤ）の前端部に搬送された硬貨は、硬貨搬送部２０８の前端部の下方に設けられた出金シュートＣ５を通じて出金箱２１０に導かれる。また、払出機構は、硬貨搬送部２０８（具体的にはコンベヤ）の前後方向の中央部に設けられ、払出機構により払い出された硬貨は、硬貨搬送部２０８の前後方向の中央部の下方に設けられた包装用シュートＣ６を通じて包装部２１２に導かれる。
【００３３】
〔出金識別部〕
出金識別部２０９は、硬貨搬送部２０８から出金箱２１０へ向けて搬送される硬貨に対して識別処理と計数処理とを行うように構成されている。識別処理では、出金識別部２０９は、硬貨の金種，真偽，正損などを識別する。計数処理では、出金識別部２０９は、硬貨の枚数を種別毎に計数する。例えば、出金識別部２０９は、磁気センサや画像センサなどの各種センサと、ＣＰＵなどの演算処理部と、演算処理部を動作させるためのプログラムや情報を記憶するメモリなどの記憶部とによって構成されている。なお、出金識別部２０９による識別処理の結果は、後述する制御部３０に送信される。
【００３４】
〔出金箱〕
出金箱２１０は、硬貨収納部２０５から繰り出されて硬貨搬送部２０８によって搬送されてきた硬貨（払い出すべき硬貨）を収納するように構成されている。また、出金箱２１０は、収納している硬貨を回収部２１１に放出するように構成されている。具体的には、出金箱２１０は、上方に開口する直方体型の箱状に形成され、その底板２１０ａが開閉可能に構成されている。そして、出金箱２１０の底板２１０ａの開放によって出金箱２１０から放出された硬貨は、出金箱２１０の下方に設けられた回収シュートＣ７を通じて回収部２１１に導かれる。また、出金箱２１０は、硬貨処理装置１０の筐体１００に対して着脱可能に構成され、筐体１００の前面から引き出し可能となっている。
【００３５】
〔回収部〕
回収部２１１は、回収すべき貨幣を収納するように構成されている。具体的には、回収部２１１は、上方に開口する直方体型の箱状に形成され、出金箱２１０から放出されて回収シュートＣ７を経由して導かれた硬貨と、後述の排出シュートＣ８を通じて導かれた硬貨とを収納するように構成されている。また、回収部２１１は、硬貨処理装置１０の筐体１００に対して着脱可能に構成され、筐体１００の前面から引き出し可能となっている。
【００３６】
〔包装部〕
包装部２１２は、包装硬貨を生成するように構成されている。具体的には、包装部２１２は、硬貨収納部２０５から繰り出されて硬貨搬送部２０８によって搬送されて包装用シュートＣ６を通じて導かれた硬貨（またはダイレクト包装用シュートＣ４を通じて導かれた硬貨）を用いて包装硬貨を生成し、その生成された包装硬貨を包装硬貨搬送部３０４に放出するように構成されている。この例では、包装部２１２には、包装硬貨搬送部３０４への包装硬貨の放出を許可する状態と禁止する状態とに切り換えられる包装切換部２１２ａが設けられている。なお、包装部２１２において包装硬貨の生成に用いられなかった硬貨は、包装部２１２の下方に設けられた排出シュートＣ８を通じて回収部２１１に導かれる。
【００３７】
〔包装硬貨収納部〕
包装硬貨収納部３００は、包装硬貨を金種別に収納するように構成されている。また、包装硬貨収納部３００は、包装硬貨搬送部３０４との間において包装硬貨の受け渡しを行うように構成されている。この例では、包装硬貨収納部３００は、複数（具体的には６つ）の包装硬貨トレイ３００ａを有している。複数の包装硬貨トレイ３００ａは、それぞれ異なる金種の包装硬貨を収納している。また、包装硬貨収納部３００は、硬貨処理装置１０（具体的には筐体１００）に対して着脱可能に構成されている。
【００３８】
図１および図６に示すように、この例では、筐体１００の前面部１０１は、筐体１００の本体部（前面部１０１よりも奥側の部分）に対して開閉可能に構成されている。具体的には、前面部１０１は、筐体１００の本体部の前面を露出させる開状態（図６の実線で示した状態）と、筐体１００の本体部の前面を閉塞する閉状態（図６の二点鎖線で示した状態）とに切り換え可能に構成されている。また、包装硬貨出金部３０１と包装硬貨一括箱３０２と包装硬貨投出部３０３と包装硬貨搬送部３０４は、筐体１００の前面部１０１に設けられ、包装硬貨収納部３００（具体的には包装硬貨トレイ３００ａ）は、筐体１００の本体部に対して着脱可能に構成されている。すなわち、筐体１００の前面部１０１を開状態にすることにより、筐体１００の本体部に対して包装硬貨収納部３００を着脱することが可能となる。
【００３９】
〔包装硬貨出金部〕
包装硬貨出金部３０１は、包装硬貨搬送部３０４によって搬送されてきた包装硬貨（払い出すべき包装硬貨）を集積するように構成されている。また、包装硬貨出金部３０１には、硬貨処理装置１０の筐体１００の前面に開口する出金口が設けられ、その出金口にはシャッタ３０１ａが設けられている。そして、シャッタ３０１ａが開状態となることにより、操作者は、包装硬貨出金部３０１から包装硬貨を取り出すことができる。また、包装硬貨出金部３０１の近傍には、第１発光部Ｌ１が設けられている。第１発光部Ｌ１は、例えば、ＬＥＤによって構成されている。
【００４０】
〔包装硬貨一括収納部〕
包装硬貨一括箱３０２は、包装硬貨搬送部３０４によって搬送されてきた包装硬貨を集積するように構成されている。包装硬貨一括箱３０２の集積容量は、包装硬貨出金部３０１の集積容量よりも大きくなっている。例えば、包装硬貨出金部３０１の集積容量は、１６本程度の包装硬貨を集積することができるように設定され、包装硬貨一括箱３０２の集積容量は、４０本程度の包装硬貨を集積することができるように設定されている。また、包装硬貨一括箱３０２は、硬貨処理装置１０（具体的には筐体１００）に対して着脱可能に構成されている。また、包装硬貨一括箱３０２は、ロック状態（硬貨処理装置１０から取り外すことができない状態）の保持と解除を切り換え可能に構成されている。また、包装硬貨一括箱３０２の近傍には、第２発光部Ｌ２が設けられている。第２発光部Ｌ２は、例えば、ＬＥＤによって構成されている。
【００４１】
図１および図７に示すように、この例では、筐体１００の前面部１０１には、前面部１０１から引き出すことが可能なスライド部１０２が設けられている。具体的には、スライド部１０２は、前面部１０１から引き出された状態（図７に示した状態）と前面部１０１に収納された状態（図１に示した状態）とに切り換え可能に構成されている。また、包装硬貨一括箱３０２は、スライド部１０２に対して着脱可能に構成されている。すなわち、筐体１００の前面部１０１からスライド部１０２を引き出すことにより、スライド部１０２に対して包装硬貨一括箱３０２を着脱することが可能となる。また、この例では、包装硬貨一括箱３０２は、スライド部１０２から取り外せない状態（ロック状態）の保持と解除を切り換え可能に構成されている。
【００４２】
〔包装硬貨投出部〕
包装硬貨投出部３０３は、包装硬貨搬送部３０４によって搬送されてきた包装硬貨を硬貨処理装置１０の外部へ投出するように構成されている。包装硬貨投出部３０３から払い出された包装硬貨は、硬貨処理装置１０の前方に配置された回収容器（図示を省略）に集積される。なお、回収容器としては、包装硬貨一括箱３０２の集積容量よりも大きい集積容量を有する容器を用いることができる。包装硬貨投出部３０３の近傍には、第３発光部Ｌ３が設けられている。第３発光部Ｌ３は、例えば、ＬＥＤによって構成されている。
【００４３】
〔包装硬貨搬送部〕
包装硬貨搬送部３０４は、包装部２１２と包装硬貨収納部３００と包装硬貨一括箱３０２と包装硬貨出金部３０１と包装硬貨投出部３０３とに接続されて包装硬貨を搬送するように構成されている。
【００４４】
この例では、包装硬貨搬送部３０４は、一対のプーリ４０１と、循環ベルト４０２と、複数の支持部４０３と、ガイド体４０４とを有している。一対のプーリ４０１は、筐体１００内の上部および下部にそれぞれ設けられている。循環ベルト４０２は、一対のプーリ４０１の間に掛け渡されている。複数の支持部４０３は、所定の間隔をおいて循環ベルト４０２に突設され、それぞれが循環ベルト４０２のベルト面に対して所定の角度（例えば６０°）で傾斜するように構成されている。ガイド体４０４は、循環ベルト４０２の周囲に設けられ、循環ベルト４０２との間において包装硬貨を案内するように構成されている。このような構成により、一対のプーリ４０１のいずれか一方を回転駆動することにより、循環ベルト４０２を駆動させて複数の支持部４０３を筐体１００の高さ方向（上下方向）に移動させることができる。
【００４５】
また、ガイド体４０４には、第１切換部４１１と第２切換部４１２と第３切換部４１３とが設けられている。第１切換部４１１は、包装硬貨出金部３０１に対応する位置（この例では包装硬貨出金部３０１の上部近傍）に設けられ、包装硬貨搬送部３０４から包装硬貨出金部３０１への包装硬貨の放出を許可する状態と禁止する状態とに切り換えられる。第２切換部４１２は、包装硬貨一括箱３０２に対応する位置（この例では包装硬貨一括箱３０２の上部近傍）に設けられ、包装硬貨搬送部３０４から包装硬貨一括箱３０２への包装硬貨の放出を許可する状態と禁止する状態とに切り換えられる。第３切換部４１３は、包装硬貨投出部３０３に対応する位置（この例では包装硬貨投出部３０３と連通する位置）に設けられ、包装硬貨搬送部３０４から包装硬貨投出部３０３への包装硬貨の放出を許可する状態と禁止する状態とに切り換えられる。
【００４６】
〔各種センサ〕
また、硬貨処理装置１０の各部には、硬貨の通過を検知する通過センサなどの各種センサ（図示を省略）が設けられている。例えば、包装硬貨一括箱３０２には、包装硬貨一括箱３０２に包装硬貨が残留していることを検知する残留検知センサ（図示を省略）が設けられている。また、包装硬貨投出部３０３の近傍には、包装硬貨投出部３０３から投出された包装硬貨を回収する回収容器（図示を省略）が包装硬貨投出部３０３の前方に配置されていることを検知する容器検知センサ（図示を省略）や、包装硬貨投出部３０３の前方に配置された回収容器が包装硬貨で満杯になったことを検知するフル検知センサ（図示を省略）などが設けられている。
【００４７】
また、図８に示すように、硬貨処理装置１０は、操作表示部２１と、印字部２２と、記憶部２３と、通信部２４と、制御部３０を備えている。上記の各種センサの検出信号は、制御部３０に送信される。
【００４８】
〔操作表示部〕
操作表示部２１は、操作部２１ａと表示部２１ｂとを有している。操作部２１ａは、操作者による操作が与えられ、その操作者による操作に応じて情報を入力するように構成されている。これにより、操作者は、操作部２１ａを操作して硬貨処理装置１０に各種処理を行わせることができる。すなわち、硬貨処理装置１０は、操作部２１ａに与えられた操作者による操作に応答して動作するように構成されている。また、表示部２１ｂは、硬貨処理装置１０における硬貨の処理状況や操作画面などの各種情報を表示するように構成されている。例えば、操作表示部２１は、タッチパネルによって構成されている。
【００４９】
〔印字部と記憶部と通信部〕
印字部２２は、硬貨処理装置１０における硬貨の処理状況や硬貨の在高などの各種情報をレシートに印字し、その各種情報が印字されたレシートを発行するように構成されている。記憶部２３は、硬貨処理装置１０における硬貨の処理状況に関する情報や、硬貨処理装置における硬貨の在高に関する情報や、操作表示部２１に表示される操作画面などの画像情報や、硬貨処理装置１０の動作を制御するための制御情報などの各種情報を記憶するように構成されている。例えば、記憶部２３は、ハードディスクドライブやフラッシュメモリなどの汎用ストレージデバイスによって構成されている。通信部２４は、制御部３０がタブレット端末やスマートフォンなどの外部機器２０との間で有線通信や無線通信を行うために設けられている。
【００５０】
〔制御部〕
図８に示すように、制御部３０は、硬貨処理装置１０の各部（例えば包装硬貨収納部３００や包装硬貨出金部３０１や包装硬貨一括箱３０２や包装硬貨投出部３０３や包装硬貨搬送部３０４や操作表示部２１など）と信号を伝送可能に構成されている。また、制御部３０は、通信部２４を経由して外部機器２と通信可能となっている。
【００５１】
そして、制御部３０は、硬貨処理装置１０において各種処理が行われるように、操作表示部２１（具体的には操作部２１ａ）に与えられた操作や、硬貨処理装置１０の各部（各部に設けられた各種センサを含む）や外部機器２０から受信した信号や情報に基づいて、硬貨処理装置１０の各部を制御して硬貨処理装置１０の動作を制御するように構成されている。例えば、制御部３０は、ＣＰＵなどの演算処理部や、演算処理部を動作させるためのプログラムや情報を記憶するメモリなどの記憶部などによって構成されている。
【００５２】
また、この例では、制御部３０は、包装硬貨収納部３００に収納されている包装硬貨を硬貨処理装置１０から払い出す払出処理において、複数の払出制御を選択的に行う。具体的には、制御部３０は、操作表示部２１（操作部２１ａ）に与えられた操作者による操作に応答して複数の払出制御を選択的に行う。例えば、制御部３０は、複数の払出制御のうち操作表示部２１に与えられた操作者の操作により選択された払出制御を行う。この例では、複数の払出制御は、第１払出制御と、第２払出制御と、第３払出制御と、第４払出制御とを含んでいる。
【００５３】
〈第１払出制御〉
第１払出制御では、制御部３０は、包装硬貨収納部３００から繰り出された包装硬貨が包装硬貨出金部３０１に搬送されるように硬貨処理装置１０の動作を制御する。具体的には、包装硬貨収納部３００から繰り出された包装硬貨は、包装硬貨搬送部３０４によって包装硬貨出金部３０１に搬送されて包装硬貨出金部３０１に集積される。
【００５４】
〈第２払出制御〉
第２払出制御では、制御部３０は、包装硬貨収納部３００から繰り出された包装硬貨が包装硬貨一括箱３０２に搬送されるように硬貨処理装置１０の動作を制御する。具体的には、包装硬貨収納部３００から繰り出された包装硬貨は、包装硬貨搬送部３０４によって包装硬貨一括箱３０２に搬送されて包装硬貨一括箱３０２に集積される。
【００５５】
〈第３払出制御〉
第３払出制御では、制御部３０は、包装硬貨収納部３００から繰り出された包装硬貨が包装硬貨投出部３０３に搬送されるように硬貨処理装置１０の動作を制御する。具体的には、包装硬貨収納部３００から繰り出された包装硬貨は、包装硬貨搬送部３０４によって包装硬貨投出部３０３に搬送されて包装硬貨投出部３０３から投出される。包装硬貨投出部３０３から投出された包装硬貨は、包装硬貨投出部３０３の前方に配置された回収容器（図示を省略）に集積される。
【００５６】
〈第４払出制御〉
第４払出制御では、制御部３０は、操作者の手作業により払出処理（包装硬貨収納部３００に収納されている包装硬貨を硬貨処理装置１０から払い出す処理）を行うことを指示するための情報（手作業指示情報）を出力する。例えば、制御部３０は、筐体１００の前面部１０１を開状態にして筐体１００の本体部から包装硬貨収納部３００（具体的には包装硬貨トレイ３００ａ）を取り外して包装硬貨収納部３００から手作業で包装硬貨を取り出すことを指示するための画像を操作表示部２１（表示部２１ｂ）に表示させる。
【００５７】
〔払出モード〕
また、硬貨処理装置１０は、複数の払出モードを有している。そして、硬貨処理装置１０では、複数の払出モードの中からいずれか１つの払出モードが選択され、その選択された払出モードに応じた払出処理が行われる。例えば、制御部３０は、操作表示部２１に与えられた操作者の操作に応答して複数の払出モードの中からいずれか１つの払出モードを選択する。この例では、複数の払出モードは、抜き取りモードと、投出部モードと、出金部モードと、一括箱抜き取りモードと、一括箱モードとを含んでいる。
【００５８】
〈抜き取りモード〉
抜き取りモードは、操作者の手作業により払出処理（包装硬貨収納部３００に収納されている包装硬貨を硬貨処理装置１０から払い出す処理）を行うための払出モードである。抜き取りモードでは、第４払出制御が行われる。すなわち、複数の払出モードの中から抜き取りモードが選択されることにより、複数の払出制御の中から第４払出制御が選択される。具体的には、制御部３０は、抜き取りモードが選択された場合に以下の動作を行う。
【００５９】
制御部３０は、操作者の手作業による払出制御を開始するために、第４払出制御を開始する。これにより、操作者の手作業により払出処理を行うことを指示するための情報（手作業指示情報）が出力される。そして、包装硬貨収納部３００に収納されている包装硬貨が操作者の手作業により硬貨処理装置１０から払い出されると、払出処理が終了する。
【００６０】
〈投出部モード〉
投出部モードは、包装硬貨収納部３００に収納されている包装硬貨が包装硬貨投出部３０３から払い出されるように、払出処理を行うための払出モードである。投出部モードでは、第３払出制御が行われる。すなわち、複数の払出モードの中から投出部モードが選択されることにより、複数の払出制御の中から第３払出制御が選択される。具体的には、制御部３０は、投出部モードが選択された場合に以下の動作を行う。
【００６１】
制御部３０は、包装硬貨投出部３０３の近傍に設けられた第３発光部Ｌ３を点灯（または点滅）させる。これにより、払出処理において包装硬貨投出部３０３から包装硬貨が払い出されることを通知することができる。
【００６２】
また、制御部３０は、包装硬貨投出部３０３の前方に回収容器が配置されると、払出処理を開始するために、第３払出制御を開始する。これにより、包装硬貨収納部３００から包装硬貨投出部３０３へ向けて包装硬貨の搬送が開始される。そして、制御部３０は、払出処理において包装硬貨（払い出すべき包装硬貨）の払い出しが完了するまで、以下の動作を繰り返し行う。
【００６３】
包装硬貨の搬送が開始（または再開）されると、制御部３０は、包装硬貨投出部３０３の前方に配置された回収容器に所定量（投出集積量）の包装硬貨が集積されるまで、第３払出制御を継続して行う。なお、この所定量（投出集積量）は、例えば、回収容器がニアフル状態（満杯状態よりも回収容器に集積されている包装硬貨の量が少なく回収容器に包装硬貨を集積する余裕がある状態）となる包装硬貨の量に設定されている。
【００６４】
回収容器に所定量（投出集積量）の包装硬貨が集積されると、制御部３０は、第３払出制御を中断する。これにより、包装硬貨収納部３００から包装硬貨投出部３０３へ向かう包装硬貨の搬送が中断される。また、包装硬貨の搬送が中断されることで包装硬貨投出部３０３から回収容器に包装硬貨が投出されなくなるので、回収容器に集積された包装硬貨を取り出すことができるようになる。または、回収容器を別の空の回収容器に交換することができるようになる。
【００６５】
回収容器に集積された包装硬貨が取り出されて包装硬貨投出部３０３の前方に回収容器が配置される（または別の空の回収容器が配置される）と、制御部３０は、第３払出制御を開始する。これにより、包装硬貨収納部３００から包装硬貨投出部３０３へ向かう包装硬貨の搬送が再開される。
【００６６】
また、払出処理において包装硬貨（払い出すべき包装硬貨）の払い出しが完了すると、制御部３０は、第３払出制御を終了する。これにより、包装硬貨収納部３００から包装硬貨投出部３０３へ向かう包装硬貨の搬送が終了する。また、包装硬貨の搬送が終了することで、回収容器に集積された包装硬貨を取り出すことができるようになる。これにより、払出処理が終了する。
【００６７】
〈出金部モード〉
出金部モードは、包装硬貨収納部３００に収納されている包装硬貨が包装硬貨出金部３０１から払い出されるように、払出処理を行うための払出モードである。出金部モードでは、第１払出制御が行われる。すなわち、複数の払出モードの中から出金部モードが選択されることにより、複数の払出制御の中から第１払出制御が選択される。具体的には、制御部３０は、出金部モードが選択されて場合に以下の動作を行う。
【００６８】
制御部３０は、包装硬貨出金部３０１の近傍に設けられた第１発光部Ｌ１を点灯（または点滅）させる。これにより、払出処理において包装硬貨出金部３０１から包装硬貨が払い出されることを通知することができる。
【００６９】
また、制御部３０は、払出処理を開始するために、第１払出制御を開始する。これにより、包装硬貨収納部３００から包装硬貨出金部３０１へ向けて包装硬貨の搬送が開始される。そして、制御部３０は、払出処理において包装硬貨（払い出すべき包装硬貨）の払い出しが完了するまで、以下の動作を繰り返し行う。
【００７０】
包装硬貨の搬送が開始（または再開）されると、制御部３０は、包装硬貨出金部３０１に所定量（第１集積量）の包装硬貨が集積されるまで、包装硬貨出金部３０１のシャッタ３０１ａを閉状態にする。なお、この所定量（第１集積量）は、例えば、包装硬貨出金部３０１がニアフル状態（満杯状態よりも包装硬貨出金部３０１に集積されている包装硬貨の量が少なく包装硬貨出金部３０１に包装硬貨を集積する余裕がある状態）となる包装硬貨の量に設定されている。
【００７１】
包装硬貨出金部３０１に所定量（第１集積量）の包装硬貨が集積されると、制御部３０は、第１払出制御を中断する。これにより、包装硬貨収納部３００から包装硬貨出金部３０１へ向かう包装硬貨の搬送が中断される。そして、制御部３０は、包装硬貨出金部３０１のシャッタ３０１ａを閉状態から開状態にする。これにより、包装硬貨出金部３０１に集積された包装硬貨を取り出すことができるようになる。
【００７２】
包装硬貨出金部３０１に集積された包装硬貨が取り出されると、制御部３０は、包装硬貨出金部３０１のシャッタ３０１ａを開状態から閉状態にする。そして、払出処理において包装硬貨（払い出すべき包装硬貨）の払い出しが完了していない場合、制御部３０は、第１払出制御を再開する。これにより、包装硬貨収納部３００から包装硬貨出金部３０１へ向かう包装硬貨の搬送が再開される。
【００７３】
また、払出処理において包装硬貨（払い出すべき包装硬貨）の払い出しが完了すると、制御部３０は、第１払出制御を終了する。これにより、包装硬貨収納部３００から包装硬貨出金部３０１へ向かう包装硬貨の搬送が終了する。また、制御部３０は、包装硬貨出金部３０１のシャッタ３０１ａを閉状態から開状態にする。これにより、包装硬貨出金部３０１に集積された包装硬貨を取り出すことができるようになる。そして、制御部３０は、包装硬貨出金部３０１に集積された包装硬貨が取り出されると、包装硬貨出金部３０１のシャッタ３０１ａを開状態から閉状態にする。これにより、払出処理が終了する。
【００７４】
〈一括箱抜き取りモード〉
一括箱抜き取りモードは、払出処理において払い出すべき包装硬貨の量（具体的には本数）に拘わらず、包装硬貨収納部３００に収納されている包装硬貨が包装硬貨一括箱３０２から払い出されるように払出処理を行うための払出モードである。一括箱抜き取りモードでは、第２払出制御が行われる。すなわち、複数の払出モードの中から一括箱抜き取りモードが選択されることにより、複数の払出制御の中から第２払出制御が選択される。具体的には、制御部３０は、一括箱抜き取りモードが選択されて場合に以下の動作を行う。
【００７５】
制御部３０は、包装硬貨一括箱３０２の近傍に設けられた第２発光部Ｌ２を点灯（または点滅）させる。これにより、払出処理において包装硬貨一括箱３０２から包装硬貨が払い出されることを通知することができる。
【００７６】
また、制御部３０は、払出処理を開始するために、第２払出制御を開始する。これにより、包装硬貨収納部３００から包装硬貨一括箱３０２へ向けて包装硬貨の搬送が開始される。そして、制御部３０は、払出処理において包装硬貨（払い出すべき包装硬貨）の払い出しが完了するまで、以下の動作を繰り返し行う。
【００７７】
包装硬貨の搬送が開始（または再開）されると、制御部３０は、包装硬貨一括箱３０２に所定量（第２集積量）の包装硬貨が集積されるまで、包装硬貨一括箱３０２をロック状態にする。なお、この所定量（第２集積量）は、例えば、包装硬貨一括箱３０２がニアフル状態（満杯状態よりも包装硬貨一括箱３０２に集積されている包装硬貨の量が少なく包装硬貨一括箱３０２に包装硬貨を集積する余裕がある状態）となる包装硬貨の量に設定されている。
【００７８】
包装硬貨一括箱３０２に所定量（第２集積量）の包装硬貨が集積されると、制御部３０は、第２払出制御を中断する。これにより、包装硬貨収納部３００から包装硬貨一括箱３０２へ向かう包装硬貨の搬送が中断される。そして、制御部３０は、包装硬貨一括箱３０２のロック状態を解除する。これにより、包装硬貨一括箱３０２を硬貨処理装置１０から取り外して包装硬貨一括箱３０２に集積された包装硬貨を取り出すことができるようになる。
【００７９】
包装硬貨一括箱３０２に集積された包装硬貨が取り出されて包装硬貨一括箱３０２が硬貨処理装置１０に装着されると、制御部３０は、包装硬貨一括箱３０２に包装硬貨が残留しているか否かを判定する。包装硬貨一括箱３０２に包装硬貨が残留していない場合、制御部３０は、包装硬貨一括箱３０２をロック状態にする。そして、制御部３０は、包装硬貨一括箱３０２に包装硬貨が残留しておらず、且つ、払出処理において包装硬貨（払い出すべき包装硬貨）の払い出しが完了していない場合に、第１払出制御を再開する。これにより、包装硬貨収納部３００から包装硬貨一括箱３０２へ向かう包装硬貨の搬送が再開される。なお、包装硬貨一括箱３０２に包装硬貨が残留している場合、制御部３０は、包装硬貨一括箱３０２のロック状態を解除したまま、包装硬貨一括箱３０２に残留している包装硬貨を取り除くことを指示するための情報（残留解消指示情報）を出力する。例えば、制御部３０は、残留解消指示情報を操作表示部２１（表示部２１ｂ）に出力して残留解消指示情報を示した画像（包装硬貨一括箱３０２に残留している包装硬貨を取り除くことを指示するための画像）を操作表示部２１に表示させる。
【００８０】
また、払出処理において包装硬貨（払い出すべき包装硬貨）の払い出しが完了すると、制御部３０は、第２払出制御を終了する。これにより、包装硬貨収納部３００から包装硬貨一括箱３０２へ向かう包装硬貨の搬送が終了する。また、制御部３０は、包装硬貨一括箱３０２のロック状態を解除する。これにより、包装硬貨一括箱３０２を硬貨処理装置１０から取り外して包装硬貨一括箱３０２に集積された包装硬貨を取り出すことができるようになる。
【００８１】
そして、包装硬貨一括箱３０２に集積された包装硬貨が取り出されて包装硬貨一括箱３０２が硬貨処理装置１０に装着されると、制御部３０は、包装硬貨一括箱３０２に包装硬貨が残留していないことを条件に、包装硬貨一括箱３０２をロック状態にする。これにより、払出処理が完了する。
【００８２】
〈一括箱モード〉
一括箱モードは、払出処理において払い出すべき包装硬貨の量が所定量（第３集積量）を上回らないことを条件に、包装硬貨収納部３００に収納されている包装硬貨が包装硬貨一括箱３０２から払い出されるように払出処理を行うための払出モードである。一括箱モードでは、第２払出制御が行われる。すなわち、複数の払出モードの中から一括箱モードが選択されることにより、複数の払出制御の中から第２払出制御が選択される。具体的には、制御部３０は、一括箱モードが選択された場合に以下の動作を行う。
【００８３】
まず、制御部３０は、払出処理において払い出すべき包装硬貨の量（以下「払出予定量」と記載）が所定量（第３集積量）を上回っているか否かを判定する。なお、この所定量（第３集積量）は、例えば、包装硬貨一括箱３０２がニアフル状態となる包装硬貨の量に設定されている。払出予定量が所定量（第３集積量）を上回らない場合、制御部３０は、以下の動作を行う。なお、払出予定量が所定量（第３集積量）を上回る場合、以下の動作は行われない。
【００８４】
制御部３０は、包装硬貨一括箱３０２の近傍に設けられた第２発光部Ｌ２を点灯（または点滅）させる。これにより、払出処理において包装硬貨一括箱３０２から包装硬貨が払い出されることを通知することができる。
【００８５】
また、制御部３０は、払出処理を開始するために、第２払出制御を開始する。これにより、包装硬貨収納部３００から包装硬貨一括箱３０２へ向けて包装硬貨の搬送が開始される。
【００８６】
包装硬貨の搬送が開始されると、制御部３０は、払出処理において包装硬貨（払い出すべき包装硬貨）の払い出しが完了するまで、包装硬貨一括箱３０２をロック状態にする。
【００８７】
払出処理において包装硬貨（払い出すべき包装硬貨）の払い出しが完了すると、制御部３０は、第２払出制御を終了する。これにより、包装硬貨収納部３００から包装硬貨一括箱３０２へ向かう包装硬貨の搬送が終了する。また、制御部３０は、包装硬貨一括箱３０２のロック状態を解除する。これにより、包装硬貨一括箱３０２を硬貨処理装置１０から取り外して包装硬貨一括箱３０２に集積された包装硬貨を取り出すことができるようになる。
【００８８】
そして、包装硬貨一括箱３０２に集積された包装硬貨が取り出されて包装硬貨一括箱３０２が硬貨処理装置１０に装着されると、制御部３０は、包装硬貨一括箱３０２に包装硬貨が残留していないことを条件に、包装硬貨一括箱３０２をロック状態にする。これにより、払出処理が完了する。
【００８９】
〔制御部の動作〕
次に、制御部３０の動作について詳しく説明する。以下では、払出処理の一例である回収処理を例に挙げて説明する。回収処理は、包装硬貨収納部３００に収納されている包装硬貨を回収する処理のことである。
【００９０】
〈回収対象の選択〉
まず、制御部３０は、回収処理を開始する前に、包装硬貨収納部３００に収納された包装硬貨の中から回収処理において回収すべき包装硬貨を選択する。
【００９１】
この例では、制御部３０は、複数の回収パターンの中からいずれか１つの回収パターンを選択するための画像（操作画面）を操作表示部２１に表示させる。この操作画面には、例えば、４つの回収パターン（第１回収パターンと第２回収パターンと第３回収パターンと第４回収パターン）が含まれている。
【００９２】
第１回収パターンは、包装硬貨収納部３００に収納された包装硬貨の全部を回収する回収パターンである。制御部３０は、操作表示部２１（表示部２１ｂ）に表示された操作画面の中から第１回収パターンを選択するための操作が操作表示部２１（操作部２１ａ）に与えられると、包装硬貨収納部３００に収納された包装硬貨の全部を回収処理の対象（回収すべき包装硬貨）として選択する。
【００９３】
第２回収パターンは、包装硬貨収納部３００に収納された包装硬貨のうち指定された金種の包装硬貨の全部を回収する回収パターンである。制御部３０は、操作表示部２１に表示された操作画面の中から第２回収パターンを選択するための操作が操作表示部２１に与えられると、回収処理において回収すべき包装硬貨の金種を指定するための画像（金種指定画面）を操作表示部２１に表示させる。そして、操作表示部２１に表示された金種指定画面に対して包装硬貨の金種を指定するための操作が操作表示部２１に与えられると、制御部３０は、包装硬貨収納部３００に収納された包装硬貨のうち指定された金種の包装硬貨の全部を回収処理の対象として選択する。
【００９４】
第３回収パターンは、包装硬貨収納部３００に収納された包装硬貨のうち指定された金種の包装硬貨の中から指定された本数の包装硬貨を回収する回収パターンである。制御部３０は、操作表示部２１に表示された操作画面の中から第３回収パターンを選択するための操作が操作表示部２１に与えられると、回収処理において回収すべき包装硬貨の金種および本数を指定するための画像（金種/本数指定画面）を操作表示部２１に表示させる。そして、操作表示部２１に表示された金種/本数指定画面に対して包装硬貨の金種および本数を指定するための操作が操作表示部２１に与えられると、制御部３０は、包装硬貨収納部３００に収納された包装硬貨のうち指定された金種の包装硬貨の中から指定された本数の包装硬貨を回収処理の対象として選択する。
【００９５】
第４回収パターンは、包装硬貨収納部３００に収納されている包装硬貨のうち予め設定された金種の包装硬貨が予め設定された本数だけ残るように余剰分となる包装硬貨を回収する回収パターンである。制御部３０は、操作表示部２１に表示された操作画面の中から第４回収パターンを選択するための操作が操作表示部２１に与えられると、包装硬貨収納部３００に収納されている包装硬貨のうち余剰分となる包装硬貨を回収処理の対象として選択する。
【００９６】
〈払出制御の選択〉
次に、制御部３０は、操作表示部２１（操作部２１ａ）に与えられた操作者による操作に応答して複数の払出制御（この例では第１払出制御と第２払出制御と第３払出制御と第４払出制御）の中からいずれか１つを選択する。
【００９７】
この例では、制御部３０は、複数の払出モード（この例では抜き取りモードと投出部モードと出金部モードと一括箱抜き取りモードと一括箱モード）の中からいずれか１つの払出モードを選択するための画像（モード選択画面）を操作表示部２１に表示させる。
【００９８】
図９に示すように、この例では、モード選択画面には、抜き取りモードに対応するアイコン（図９では「01.抜き取り回収」と記載されたアイコン）と、投出部モードに対応するアイコン（「図９では「02.投出口回収」と記載されたアイコン）と、出金部モードに対応するアイコン（図９では「03.出金口回収」と記載されたアイコン）と、一括箱抜き取りモードに対応するアイコン（図９では「04.一括抜き取り回収」と記載されたアイコン）と、一括箱モードに対応するアイコン（図９では「05.一括箱回収」と記載されたアイコン）とが含まれている。例えば、図９に示されたモード選択画面の中から「03.出金口回収」というアイコン（すなわち出金部モードに対応するアイコン）を選択するための操作が操作表示部２１に与えられると、制御部３０は、出金部モードを選択する。これにより、複数の払出制御の中から第１払出制御が選択される。
【００９９】
〈払出制御の実行〉
次に、制御部３０は、複数の払出制御（この例では第１払出制御と第２払出制御と第３払出制御と第４払出制御）の中から選択された払出制御を回収処理において行う。この例では、複数の払出モードの中から選択された払出モードに応じた回収処理が行われる。また、制御部３０は、回収処理において複数の払出制御のうちどの払出制御が行われているのかを示した画像を操作表示部２１（表示部２１ｂ）に表示させる。例えば、複数の払出モードの中から出金部モードが選択されると、第１払出制御が行われていることを示した画像が操作表示部２１に表示される。
【０１００】
〔実施形態による効果〕
以上のように、払出処理において第２払出制御を行うことにより、包装硬貨出金部３０１の集積容量よりも大きい集積容量を有する包装硬貨一括箱３０２に包装硬貨を集積することができるので、払出処理において包装硬貨出金部３０１に包装硬貨を集積する場合（すなわち集積処理において第１払出制御が行われる場合）よりも、包装硬貨の搬送が中断される回数を低減する（またはゼロにする）ことができる。これにより、払出処理において包装硬貨の払い出しを効率良く行うことができる。
【０１０１】
また、一括箱抜き取りモードが選択されると、制御部３０は、包装硬貨一括箱３０２に所定量（例えば包装硬貨一括箱３０２がニアフル状態となる包装硬貨の量）の包装硬貨が集積されると第２払出制御を中断し、包装硬貨一括箱３０２から包装硬貨が取り除かれると第２払出制御を再開する。これにより、払出処理において第２払出制御を繰り返し行うことができる。
【０１０２】
また、一括箱モードが選択されると、制御部３０は、払出処理において払い出されるべき包装硬貨の量が所定量（例えば包装硬貨一括箱３０２がニアフル状態となる包装硬貨の量）を上回らないことを条件として第２払出制御を行う。これにより、払出処理において払い出されるべき包装硬貨の量に応じて第２払出制御を適切に行うことができる。
【０１０３】
また、払出処理において第３払出制御を行うことにより、包装硬貨一括箱３０２の集積容量よりも多い量の包装硬貨を包装硬貨投出部３０３から投出することができる。
【０１０４】
また、操作表示部２１（操作部２１ａ）に与えられた操作者による操作に応答して複数の払出制御を選択的に行うことにより、操作者による操作により複数の払出制御を任意に切り換えて行うことができる。
【０１０５】
また、払出処理において複数の払出処理のうちどの払出制御が行われているのかを示した画像を操作表示部２１（表示部２１ｂ）に表示させることにより、払出処理において複数の払出処理のうちどの払出制御が行われているのか確認することができる。
【０１０６】
（制御部の変形例１）
なお、制御部３０は、払出処理において払い出すべき包装硬貨の本数（以下「払出予定本数」）に基づいて、複数の払出モード（この例では抜き取りモードと投出部モードと出金部モードと一括箱抜き取りモードと一括箱モード）の選択を許可または禁止するように構成されていてもよい。すなわち、制御部３０は、払出予定本数に基づいて複数の払出処理（この例では第１払出制御と第２払出制御と第３払出制御と第４払出制御）の実行を許可または禁止するように構成されていてもよい。例えば、この変形例１では、制御部３０は、以下の動作を行うように構成されていてもよい。
【０１０７】
制御部３０は、払出予定本数が所定本数（第１払出本数）を上回らない場合に、出金部モード（第１払出制御が行われる払出モード）の選択を許可し、払出予定本数が所定本数（第１払出本数）を上回る場合に、出金部モードの選択を禁止する。この所定本数（第１払出本数）は、例えば、包装硬貨出金部３０１がニアフル状態となる包装硬貨の本数（例えば１４本）に設定されている。すなわち、制御部３０は、払出予定本数が予め定められた第１払出本数を上回らない場合に第１払出制御の実行を許可し、払出予定本数が第１払出本数を上回る場合に第１払出制御の実行を禁止する。
【０１０８】
また、制御部３０は、払出予定本数が所定本数（第２払出本数）を上回らない場合に、一括箱抜き取りモードおよび一括箱モード（第２払出制御が行われる払出モード）の選択を許可し、払出予定本数が所定本数（第２払出本数）を上回る場合に、一括箱抜き取りモードおよび一括箱モードの選択を禁止する。この所定本数（第２払出本数）は、例えば、包装硬貨一括箱３０２がニアフル状態となる包装硬貨の本数（例えば４０本）に設定されている。すなわち、制御部３０は、払出予定本数が予め定められた第２払出本数を上回らない場合に第２払出制御の実行を許可し、払出予定本数が第２払出本数を上回る場合に第２払出制御の実行を禁止する。
【０１０９】
そして、制御部３０は、複数の払出モードのうち選択が許可された払出モードのみが選択可能となるように、複数の払出モードの中からいずれか１つの払出モードを選択するための画像（モード選択画面）を操作表示部２１に表示させる。すなわち、制御部３０は、複数の払出制御のうち実行が許可された払出制御の中から１つの払出制御を選択し、その選択された払出制御を払出処理において行う。例えば、図９に示したモード選択画面が操作表示部２１に表示される場合、複数の払出モードのうち一括箱抜き取りモードおよび一括箱モードの選択が禁止されると、モード選択画面において「04.一括箱抜き取り回収」と記載されたアイコン（一括箱抜き取りモードに対応するアイコン）および「05.一括箱回収」と記載されたアイコン（一括箱モードに対応するアイコン）が非表示（またはグレー表示）となり選択不可となる。
【０１１０】
以上のような構成により、複数の払出制御のうち実行が許可された払出制御のみを行うことができる。これにより、払出処理において払出制御を効果的に行うことができる。
【０１１１】
（制御部の変形例２）
なお、制御部３０は、硬貨収納部２０５の空き容量が予め定められた空き容量閾値を下回る場合に、自動収集処理が行われるように硬貨処理装置１０の動作を制御するように構成されていてもよい。自動収集処理では、制御部３０は、硬貨収納部２０５から繰り出された硬貨が包装部２１２に搬送されて包装部２１２において包装硬貨が生成され、その包装硬貨が包装硬貨収納部３００または包装硬貨一括箱３０２に搬送されるように硬貨処理装置１０の動作を制御する。具体的には、自動収集処理では、包装部２１２において生成された包装硬貨を包装硬貨収納部３００に収納することができない場合に、包装部２１２において生成された包装硬貨が包装硬貨一括箱３０２に搬送される。
【０１１２】
上記のように自動収集処理が行われる場合、払出処理が開始される前に包装硬貨が包装硬貨一括箱３０２に既に集積されている可能性がある。そのため、制御部３０は、以下の動作を行うように構成されていてもよい。
【０１１３】
この変形例２では、制御部３０は、払出処理において第２払出制御を開始する前に、包装硬貨が包装硬貨一括箱３０２に既に集積されている場合、包装硬貨一括箱３０２に包装硬貨が既に集積されていることを通知するための情報（残留通知情報）を出力する。例えば、制御部３０は、残留通知情報を操作表示部２１（表示部２１ｂ）に出力して残留通知情報を示した画像（包装硬貨一括箱３０２に包装硬貨が既に集積されていることを通知するための画像）を操作表示部２１に表示させる。
【０１１４】
そして、制御部３０は、残留通知情報を出力した後に、複数の払出モード（この例では抜き取りモードと投出部モードと出金部モードと一括箱抜き取りモードと一括箱モード）のうち第２払出制御が行われる払出モード（この例では一括箱抜き取りモードと一括箱モード）が選択不可となるように、複数の払出モードの中からいずれか１つの払出モードを選択するための画像（モード選択画面）を操作表示部２１に表示させる。そして、複数の払出モードの中から選択された払出モードに応じた払出処理が行われる。すなわち、制御部３０は、操作者による操作に応答して複数の払出制御のうち第２払出制御を除いた残りの払出制御の中から１つの払出制御を選択し、その選択された払出制御を払出処理において実行する。
【０１１５】
または、制御部３０は、包装硬貨一括箱３０２に既に集積されていた包装硬貨が取り出され後（または包装硬貨一括箱３０２に包装硬貨が既に集積されていることを承認する承認操作が操作表示部２１に与えられた後）に、第２払出制御を開始する。
【０１１６】
（制御部の変形例３）
なお、制御部３０は、払出処理において払い出すべき包装硬貨の金種に応じて複数の払出制御を選択的に行うように構成されていてもよい。例えば、制御部３０は、払出処理において払い出すべき包装硬貨の金種が５円と５０円と５００円のいずれかに該当する場合に第１払出制御（包装硬貨出金部３０１から包装硬貨が払い出される制御）を行い、払出処理において払い出すべき包装硬貨の金種が１円と１０円と１００円のいずれかに該当する場合に第２払出制御（包装硬貨一括箱３０２から包装硬貨が払い出される制御）を行うように構成されていてもよい。このような構成により、払出処理において包装硬貨の金種に応じて包装硬貨の搬送先を自動的に切り換えることができる。
【０１１７】
（制御部の変形例４）
また、制御部３０は、払出予定本数（払出処理において払い出すべき包装硬貨の本数）に応じて、複数の払出モード（この例では抜き取りモードと投出部モードと出金部モードと一括箱抜き取りモードと一括箱モード）の中からいずれか１つを選択するように構成されていてもよい。すなわち、制御部３０は、払出予定本数に応じて複数の払出制御（この例では第１払出制御と第２払出制御と第３払出制御と第４払出制御）を選択的に行うように構成されていてもよい。例えば、この変形例４では、制御部３０は、以下の動作を行うように構成されていてもよい。
【０１１８】
制御部３０は、払出予定本数が予め定められた第１払出本数（例えば包装硬貨出金部３０１がニアフル状態となる包装硬貨の本数）を上回らない場合に、出金部モード（第１払出制御が行われる払出モード）を選択し、払出予定本数が第１払出本数を上回り且つ予め定められた第２払出本数（例えば包装硬貨一括箱３０２がニアフル状態となる包装硬貨の本数）を上回らない場合に、一括箱抜き取りモードおよび一括箱モードのいずれか一方の払出モード（第２払出制御が行われる払出モード）を選択し、払出予定本数が第２払出本数を上回る場合に、投出部モード（第３払出制御が行われる払出モード）を選択する。
【０１１９】
すなわち、制御部３０は、払出予定本数が第１払出本数を上回らない場合に払出処理において第１払出制御を行い、払出予定本数が第１払出本数を上回り且つ第２払出本数を上回らない場合に払出処理において第２払出制御を行い、払出予定本数が第２払出本数を上回る場合に払出処理において第３払出制御を行う。
【０１２０】
以上のような構成により、払出処理において払い出すべき包装硬貨の本数に応じて包装硬貨の搬送先を自動的に切り換えることができる。
【０１２１】
（制御部の変形例５）
また、制御部３０は、包装硬貨収納部３００に収納されている包装硬貨が回収されて自動収集処理において生成された包装硬貨を収納するための空き容量が包装硬貨収納部３００において確保される処理（空き容量確保のための回収処理）が行われるように、硬貨処理装置１０の動作を制御するように構成されていてもよい。
【０１２２】
（その他の実施形態）
以上の説明では、包装硬貨一括箱３０２が硬貨処理装置１０に対して着脱可能に構成されている場合を例に挙げたが、包装硬貨一括箱３０２は、開閉式の構成であってもよい。例えば、硬貨処理装置１０の筐体１００の外方（この例では前面部１０１の前方）に開口する取出口が包装硬貨一括箱３０２に設けられ、その取出口に開閉扉（取出口を開閉する扉）が設けられていてもよい。
【０１２３】
また、以上の説明では、払出処理の一例として回収処理（包装硬貨収納部３００に収納されている包装硬貨を回収する処理）を例に挙げたが、これに限らず、払出処理は、例えば、出金処理（包装硬貨収納部３００に収納されている包装硬貨を出金する処理）であってもよい。
【０１２４】
また、以上の実施形態や変形例を適宜組み合わせて実施してもよい。以上の実施形態や変形例は、本質的に好ましい例示であって、ここに開示する技術、その適用物、あるいはその用途の範囲を制限することを意図するものではない。
【産業上の利用可能性】
【０１２５】
以上説明したように、ここに開示する技術は、硬貨を処理する硬貨処理装置として有用である。
【符号の説明】
【０１２６】
１０        硬貨処理装置
１００      筐体
２０１      硬貨投入部
２０２      硬貨識別部
２０３      硬貨選別部
２０４      硬貨一時保留部
２０５      硬貨収納部
２０６      入金リジェクト部
２０７      返却箱
２０８      硬貨搬送部
２０９      出金識別部
２１０      出金箱
２１１      回収部
２１２      包装部
３００      包装硬貨収納部
３０１      包装硬貨出金部
３０２      包装硬貨一括箱
３０３      包装硬貨投出部
３０４      包装硬貨搬送部
２１        操作表示部
２１ａ      操作部
２１ｂ      表示部
３０        制御部
【図１】
2019021026.tif 000003
【図２】
2019021026.tif 000004
【図３】
2019021026.tif 000005
【図４】
2019021026.tif 000006
【図５】
2019021026.tif 000007
【図６】
2019021026.tif 000008
【図７】
2019021026.tif 000009
【図８】
2019021026.tif 000010
【図９】
2019021026.tif 000011